(57)【要約】【課題】効率よく薬剤を薬袋に投入する薬剤の薬袋投入装置及び薬袋投入方法を提供する。【解決手段】薬剤８を払い出し、その薬剤を薬袋１に投入する払出手段７と、薬剤８が投入された薬袋１を保管するトレーと、薬剤８が投入された薬袋１をトレーに投入する薬袋投入手段とを備え、トレーにおいては、薬袋１をその開口部１ａが上になった立設状態でトレー９の一方の端部から順に詰めるよう支持する支持板が設けられている。【選択図】図１
2011098782.tif 000002
【特許請求の範囲】
【請求項１】
薬剤（８）を払い出し、その薬剤を薬袋（１）に投入する払出手段（７）と、
薬剤（８）が投入された薬袋（１）を保管するトレー（９）と、
薬剤（８）が投入された薬袋（１）をトレー（９）に投入する薬袋投入手段とを備え、
トレー（９）においては、薬袋（１）をその開口部（１ａ）が上になった立設状態でトレー（９）の一方の端部（９ａ）から順に詰めるよう支持する支持板（１０）が設けられていることを特徴とする薬袋投入装置。
【請求項２】
薬剤（８）を払い出して、その薬剤を薬袋（１）に投入し、薬剤（８）が投入された薬袋（１）をトレー（９）に保管する際に、開口部（１ａ）が上になった立設状態の薬袋（１）をトレー（９）に設けた支持板（１０）によってトレー（９）の一方の端部（９ａ）から順に詰めるようにして支持することを特徴とする薬袋投入方法。
【発明の詳細な説明】
【技術分野】
【０００１】
本発明は、錠剤、散薬、アンプル等の薬剤を薬袋に投入する薬袋投入装置及び薬袋投入方法に関する。
【背景技術】
【０００２】
従来、病院等の薬局において、処方に応じた薬剤を患者毎又は一処方毎に薬袋に収納する際、患者名、処方時間等が記載された薬袋に、調剤した薬剤を薬剤師が投入する方法が採用されている。
【発明の概要】
【発明が解決しようとする課題】
【０００３】
しかし、前記従来の方式によれば、人手により薬剤を投入するため、手間と時間がかかるという問題がある。
【０００４】
本発明は、このような問題点を解決するためになされたもので、効率よく薬剤を薬袋に投入する薬剤の薬袋投入装置及び薬袋投入方法を提供することを課題とする。
【課題を解決するための手段】
【０００５】
上記課題を解決するためになされた本発明に係る薬袋投入装置は、請求項１に記載の如く、薬剤を払い出し、その薬剤を薬袋に投入する払出手段と、薬剤が投入された薬袋を保管するトレーと、薬剤が投入された薬袋をトレーに投入する薬袋投入手段とを備え、トレーにおいては、薬袋をその開口部が上になった立設状態でトレーの一方の端部から順に詰めるよう支持する支持板が設けられていることを特徴とする。
【０００６】
また、請求項２に記載の如く、薬剤を払い出して、その薬剤を薬袋に投入し、薬剤が投入された薬袋をトレーに保管する際に、開口部が上になった立設状態の薬袋をトレーに設けた支持板によってトレーの一方の端部から順に詰めるようにして支持することを特徴とする薬袋投入方法であってもよい。
【０００７】
このように、本発明に係る薬袋投入装置では、請求項１に記載の如く、薬袋をトレーの一方の端部から順に詰めるよう支持する支持板が設けられているので、薬袋が不用意に倒れたり、膨張しすぎたりすることなく、トレー内に薬袋を数多く収納することができる。
【０００８】
また、本発明に係る薬袋投入方法では、請求項２に記載の如く、前記トレーに保管する際に、トレーに設けた支持板によってトレーの一方の端部から順に詰めるようにして支持することになる。
【発明の効果】
【０００９】
本発明によれば、支持板が設けられているので、トレー内に薬袋を数多く収納することができるため、効率よく薬剤を薬袋に投入する薬剤の薬袋投入装置及び薬袋投入方法を提供することができる。
【図面の簡単な説明】
【００１０】
【図１】本発明に係る薬袋投入装置の一実施の形態を示す概略説明斜視図である。
【図２】トレーを示す斜視図である。
【発明を実施するための形態】
【００１１】
以下、本発明の実施の形態について図面に基づいて説明する。図１において、１は、二枚の矩形型シートの周縁が一辺を除いてヒートシールされた薬袋を示す。該薬袋１においては上記ヒートシールされなかった一辺が薬剤を投入するための開口部１ａとなる。
【００１２】
また、２は該薬袋１をその一表面を下にした状態で複数枚重ね合わせて収納する箱状の収納部を示し、３は吸引ノズル（第１吸引ノズルに相当する）を示す。該収納部２は、その上端が解放されており、収納部２に収納されている薬袋１に前記吸引ノズル３を近接することにより、薬袋１が吸引ノズル３に吸引されて薬袋１が収納部２の外部に取り出され、吸引ノズル３が薬袋取出手段としての役割を果たす。
【００１３】
４は薬袋１に患者名、薬品名、処方方法等の患者データを印字する印字装置としてのプリンタを示し、６ａ，６ａは該プリンタ４で印字が施された薬袋１の表面を夫々吸引する一対の吸引ノズル（第２吸引ノズルに相当する）を示す。更に、該一対の吸引ノズル６ａ，６ａは、薬袋１の表面を吸引することにより薬袋１の開口部１ａを開口させる薬袋開口手段６を構成している。
【００１４】
前記薬袋取出手段が薬袋１を吸引する第１吸引ノズルで構成され、且つ薬袋開口手段が薬袋１の正面及び背面を吸引する、少なくとも二本の第２吸引ノズル６ａ，６ａで構成されているため、薬袋開口手段の製造コストを安価にすることができ、しかも薬袋開口手段を簡便に構成することができる。
【００１５】
ここで、本実施の形態において患者データは患者単位で処理されており、従って薬袋１には一患者毎にセットされた薬剤８が投入されているものとする。
【００１６】
７は錠剤、散薬、アンプル等の薬剤８を例えば患者毎に排出して払い出す排出手段（払出手段）としてのシュートを示す。
【００１７】
更に、前記吸引ノズル２の制御、患者データの蓄積とプリンタ４への患者データの伝送、薬袋開口手段６の制御、及びシュート７からの薬剤８の払い出しのタイミングの制御を行うコンピュータ（図示せず）が設けられている。
【００１８】
このように、薬袋を収納する収納部２と、収納部２から薬袋を取り出す吸引ノズル３と、薬袋を薬袋１に印字するプリンタ４と、薬袋１の開口部１ａを開口する吸引ノズル６ａ，６ａと薬剤８を排出するシュート７と、前記コンピュータとから、本発明に係る薬袋投入装置が構成される。
【００１９】
また、図２において、９は吸引ノズル６ａ，６ａの下方のトレー載置位置に設けられ、薬剤８を収納した薬袋１を保管する保管部としてのトレーを示し、１０は薬袋１が倒れたりせず、開口部１ａを上として立設状態を保つことができるよう、薬袋１を支え、且つ薬袋間を詰めるための支持手段としての支持板を示す。
【００２０】
尚、前記コンピュータに予め入力されている患者データに基づき、薬剤８の払い出される数がコンピュータにより算出され、この払い出される数に基づいてトレー９内に保管される薬袋１の数がトレー９毎に算出される。
【００２１】
次に、上述のように構成される薬袋投入装置の使用方法について説明する。
【００２２】
まず、予め複数枚の薬袋１，１…を収納した収納部２の上部から吸引ノズル３を降下させて収納部２の最上部に位置する薬袋１を吸引ノズル３に吸い付ける。
【００２３】
薬袋１を吸引ノズル３に吸い付けた状態で吸引ノズル３を移動させ、プリンタ４へ薬袋１を供給する。そして、予めコンピュータ等に入力されている患者名、薬剤名、処方方法等の患者データがプリンタ４に送られ、プリンタ４においては該患者データを薬袋１の表面に印字して払い出す。
【００２４】
印字が施されて払い出された薬袋１をローラー等の搬送手段（図示せず）により、薬剤８の払い出されるシュート７付近まで搬送する。
【００２５】
シュート７付近には、吸引ノズル６ａ，６ａ が設置され、薬袋１が搬送されたことを検知して吸引を開始する。その際、吸引ノズル６ａ，６ａは薬袋１の両表面から所定距離を開けて夫々位置しており、夫々の吸引ノズル６ａ，６ａが吸引を行うことにより薬袋１の開口部１ａが広げられて開口する。
【００２６】
このようにして開口された開口部１ａに、シュート７から、一処方分、又は一患者分に予め集められてセットされた薬剤８が払い出されて投入される。
【００２７】
更に、薬剤８が投入された薬袋１は、吸引ノズル６ａ，６ａの下方のトレー載置位置に設けられた図２に示すトレー９へと移送される。トレー９においては、搬送された薬袋１を開口部１ａを上にして立設し、トレーの一方の端部９ａから順に詰めるよう、支持板１０で薬袋１を支持している。
【００２８】
このように支持板１０で薬袋１を支持することにより、薬袋１が不用意に倒れたり、膨張しすぎたりすることなく、トレー９内に薬袋１を数多く収納することができる。
【００２９】
ここで、シュート７から払い出される薬剤８の数は、コンピュータに予め患者データとして入力されており、その累積数より、一個のトレー９に保管することができる薬袋１の数がコンピュータで算出されている。
【００３０】
そして、上記薬剤８の薬袋１への投入がコンピュータで算出されたトレー９に保管することができる数まで繰り返されると、トレー９は所定位置、例えばトレー９のストッカーへ移送され、代わりに空のトレー９が前記トレー載置位置に移送され、次の患者データからコンピュータで算出された薬袋１の数だけトレー９に保管するという動作をコンピュータに入力された患者データがなくなるまで繰り返す。このように、薬袋投入装置は、コンピュータにて算出された数に基づいてトレー９に薬袋１を投入するための薬袋投入手段を備えている。
【００３１】
上述のように、本発明に係る薬袋投入装置においては、収納部２に収納されている薬袋１を薬袋取出手段にて取り出し、薬袋１を開口し、且つ薬剤８を払出手段７からの薬剤を投入する薬袋開口手段６が設けられているので、薬袋１を収納部２に収納しておけば、人手に頼ることなく薬袋１内に所定量の薬剤８を収納することができる。
【００３２】
また、プリンタで薬袋の表面に患者データを印字しているので、監査を行う際にも、非常に容易に患者データを確認することができる。
【００３３】
更に、上述の実施の形態の如く、予めコンピュータ等に入力され、記憶されている患者データをプリンタ４に送り、シュート７から払い出される薬剤８の払い出されるタイミングを制御することにより、複数の薬袋に薬剤を収納する行程を人手を介さずに連続して行うことができる。
【００３４】
また、トレー９に保管することができる薬袋１の数を患者データの一部である薬剤の数から算出するので、トレー９毎に保管する薬袋１の数は、薬剤の量に応じ増減され、従ってトレー９に薬袋1が入りきらないという危惧はなく、確実に全ての薬袋１を保管することができるという効果がある。
【００３５】
上述の実施の形態においては、薬袋開口手段を二本の吸引ノズルで構成したが、吸引ノズルの数は二本に限定されることなく、薬袋を開口させるために十分であれば三本以上であっても良い。
【００３６】
上述の実施の形態においては、薬袋取出手段及び薬袋開口手段として吸引ノズルを用いたが、薬袋取出手段と薬袋開口手段はこれに限定されることなく、例えば薬袋取出手段をローラーで形成し、薬袋開口手段を開口部からエアーを吹き出すエアーノズル等で形成してもよいが、吸引ノズルで構成することによって、非常に安価に、且つ簡便な構成で薬袋取出手段と薬袋開口手段を形成することができる。
【００３７】
また、薬袋開口手段にて薬袋を開口し、薬剤を投入したのち、薬袋の開口部の一部又は開口部全域に亘って封をする、ヒートシール装置等から構成される、薬袋に封をする封止手段を設けてもよい。
【００３８】
このように、薬袋の開口部の一部又は開口部全域に亘って封をする封止手段が設けられることにより、薬袋から薬剤が不用意にこぼれ落ちることを防止することができる。
【００３９】
更に、上記封止手段が設けられている際、患者データから薬袋が予めセットされた薬剤のみを収容することを判別した場合には封止手段を駆動し、患者データから予めセットされた薬剤に加えて稀少な薬剤等を監査時等に人手で投入することを判別した場合には封止手段を駆動し、薬袋の開口部の一部、例えば中央付近を封止するか、或いは封止手段を駆動しないよう、患者データにより選択して封止手段を制御する制御手段が設けられていることが、投入する薬剤に応じて薬袋に封をすることができるため好ましい。
【００４０】
また、上記実施の形態においては、患者データを一人の患者に対する全データとし、従って薬袋へ投入する薬剤を患者毎としたが、患者データはこれに限定されることなく、例えばＲｐ毎のデータとしてもよい。
【００４１】
更に、一つのトレーに保管する薬袋は、コンピュータに入力されている患者データが患者別や病棟別、あるいは診療科別等に並べ直されることにより区分けされた、患者別、病棟別、診療科別等であってもよいし、単に患者データが入力された時系列順であってもよい。
【符号の説明】
【００４２】
１…薬袋、１ａ…開口部、２…収納部、３…吸引ノズル（薬袋取出手段）、４…プリンタ、６…薬袋開口手段、６ａ…吸引ノズル、７…シュート（排出手段）、８…薬剤、９…トレー（保管部）、９ａ…端部、１０…支持板
【図１】
2011098782.tif 000003
【図２】
2011098782.tif 000004